(57)【要約】  車両の車輪（６０）から車両の駆動系を選択的に切断するように構成されているアンチロックブレーキ(４２)を備えた車両のオートマチック機械式トランスミッションシステム（１０）である。該システムは、前記車両の少なくとも一つの運転状態を検知するための第１センサ（３３，３５，３９）、前記車両の車輪ロックアップコンディションを検知するための第２センサ（５４）と、ロジック制御ユニット（７２，７０，５６）とを具備する。前記ロジック制御ユニットは、前記第１および第２センサから信号を受信するように構成されている。該ロジック制御ユニットが、該第１センサが前記車両の第１所定運転状態と通信して該第２センサが車輪ロックアップコンディションと通信した時に前記車輪からの前記駆動系の解離を指示する。あるいは、該ロジック制御ユニットが、前記車両の第２所定運転状態と車輪ロックアップコンディションとが通信された時に該駆動系と該車輪との嵌合を指示する。【選択図】図１
2009508064.tif 000002
【特許請求の範囲】
【請求項１】
オートマチックマニュアルトランスミッション（１０）を含む大型車両においてアンチロック制動システム（４２）のアンチロック作用を抑制するための方法であって、
前記アンチロック制動システム（４２）からアンチロック作用を開始するのに充分な車輪スリップ事象を検出することを包含し、
所定の下方傾斜値を超える下方傾斜を有する坂道を前記大型車両が下っていると判断することと、
前記アンチロック作用の開始を抑制することとを特徴とする方法。
【請求項２】
オートマチックマニュアルトランスミッション（１０）を含む大型車両においてアンチロック制動システム（４２）のアンチロック作用を抑制するための方法であって、
前記アンチロック制動システム（４２）からアンチロック作用を開始するのに充分な第１車輪スリップ事象を検出することを包含し、
前記第１車輪スリップ事象が検出された時に前記大型車両が概ね平坦な地面を走行していると判断することと、
前記第１車輪スリップ事象の検出により開始される前記アンチロック作用の実行を許可することと、
前記アンチロック制動システム（４２）からアンチロック作用を開始するのに充分な第２車輪スリップ事象を検出することと、
前記第２車輪スリップ事象が検出された時に所定の下方傾斜値を超える下方傾斜を有する坂道を前記大型車両が下っていると判断することと、
前記第２車輪スリップ事象の検出により開始される前記アンチロック作用の開始を抑制することとを特徴とする方法。
【請求項３】
オートマチックマニュアルトランスミッション（１０）を含む大型車両においてアンチロック制動システム（４２）のアンチロック作用を抑制するための方法であって、
前記アンチロック制動システム（４２）からアンチロック作用を開始するのに充分な第１車輪スリップ事象を検出することを包含し、
前記第１車輪スリップ事象が検出された時に所定の下方傾斜値を超えない下方傾斜を有する地面を前記大型車両が通過していると判断することと、
前記第１車輪スリップ事象の検出により開始される前記アンチロック作用の実行を許可することと、
前記アンチロック制動システム（４２）からアンチロック作用を開始するのに充分な第２車輪スリップ事象を検出することと、
前記第２車輪スリップ事象が検出された時に前記所定の下方傾斜値を超える下方傾斜を有する地面を前記大型車両が通過していると判断することと、
前記第２車輪スリップ事象の検出により開始される前記アンチロック作用の開始を抑制することとを特徴とする方法。
【請求項４】
前記第１車輪スリップ事象が検出された時の、所定の下方傾斜値を超えない下方傾斜を有する地面を前記大型車両が通過しているとの前記判断が、該大型車両が概ね平坦な地面を通過しているとの判断であることを特徴とする、請求項３に記載の方法。
【請求項５】
前記所定の下方傾斜値が５パーセント勾配であることを特徴とする、請求項１乃至４のいずれかに記載の方法。
【請求項６】
前記所定の下方傾斜値が８パーセント勾配であることを特徴とする、請求項１乃至４のいずれかに記載の方法。
【請求項７】
オートマチック機械式トランスミッションシステム（１０）とアンチロック制動システム（４２）とを具備する車両において、
前記車両の少なくとも一つの運転状態を検知する（１１０）ことと、
前記車両の車輪ロックアップコンディションを検知する（１０５）ことと、
前記車両の前記運転状態と前記車輪ロックアップコンディションとをロジック制御ユニットへ通信することとを包含する、前記車両の車輪（６０）から前記駆動系を選択的に切断するための方法であって、
前記車両の第１所定運転状態と車輪ロックアップコンディションとが前記ロジック制御ユニットにより通信された時に前記駆動系を前記車輪（６０）から解離し（１２０）、該車両の第２所定運転状態と車輪ロックアップコンディションとが該ロジック制御ユニットにより通信された時に該車両の該駆動系と該車輪（６０）との嵌合を維持する（１２５）ことを特徴とする方法。
【請求項８】
前記車両の前記第２所定運転状態が該車両の下方傾斜の角度に対応することを特徴とする、請求項７に記載の方法。
【請求項９】
前記下方傾斜の角度が所定角度より大きいことを特徴とする、請求項８に記載の方法。
【請求項１０】
前記所定角度が３度であることを特徴とする、請求項９に記載の方法。
【請求項１１】
前記所定角度が５度であることを特徴とする、請求項９に記載の方法。
【請求項１２】
前記車両の前記第２所定運転状態が該車両の下方傾斜の角度と該車両のエンジン（１２）の速度とに対応することを特徴とする、請求項７に記載の方法。
【請求項１３】
前記下方傾斜の角度が所定角度より大きいことを特徴とする、請求項１２に記載の方法。
【請求項１４】
前記エンジンの前記速度が所定値を上回ることを特徴とする、請求項１２に記載の方法。
【請求項１５】
前記所定速度値が前記エンジン（１２）の減速速度であることを特徴とする、請求項１４に記載の方法。
【請求項１６】
前記車両の前記第１所定運転状態が概ね平坦な地面における運転に対応することを特徴とする、請求項７に記載の方法。
【請求項１７】
前記運転状態が車両質量を用いて判断されることを特徴とする、請求項７に記載の方法。
【請求項１８】
前記運転状態が前記車両の傾斜角度を用いて判断されることを特徴とする、請求項７に記載の方法。
【請求項１９】
前記運転状態がエンジン制動力を用いて判断されることを特徴とする、請求項７に記載の方法。
【請求項２０】
前記運転状態が車両構成を用いて判断されることを特徴とする、請求項７に記載の方法。
【請求項２１】
前記車両構成が、車輪の総数と比較された駆動輪（６０）の数であることを特徴とする、請求項２０に記載の方法。
【請求項２２】
オートマチック機械式トランスミッションシステムとアンチロック制動システムとを具備する車両において、該車両の車輪（６０）から前記駆動系を選択的に切断するための装置であって、
前記車両の少なくとも一つの運転状態を検知するための第１センサ（３３，３５，３７，３９）と、
前記車両の車輪ロックアップコンディションを検知するための第２センサ（５４）と、
ロジック制御ユニット（５６，７０，７２）とを具備し、
前記ロジック制御ユニット（５６，７０，７２）が、前記第１（３３，３５，３７，３９）および第２センサ（５４）から信号を受信し、少なくとも該第１センサ（３３，３５，３７，３９）が前記車両の第１所定運転状態を検知して該第２センサ（５４）が車輪ロックアップコンディションを検知した時に前記車輪（６０）からの前記駆動系の解離を指示するような機能的構成を持ち、該ロジック制御ユニット（５６，７０，７２）が、前記車両の第２所定運転状態と車輪ロックアップコンディションとが検知された時に該駆動系と該車輪（６０）との嵌合を指示するような機能的構成を持つことを特徴とする装置。
【請求項２３】
前記車両の前記第２所定運転状態が該車両の下方傾斜の角度に対応することを特徴とする、請求項２２に記載の装置。
【発明の詳細な説明】
【技術分野】
【０００１】
本出願は、２００５年９月８日に出願された米国仮出願第６０／５９６，２０５号の優先権を主張する。かかる出願の全体が参考としてここに取り入れられていることは明白である。
【０００２】
本発明は、概して制動システム、より詳しくは、車輪ロックアップコンディションにおいて車輪から車両駆動系を選択的に解離するための方法と装置に関連する。
【背景技術】
【０００３】
オートマチックおよびセミオートマチックの機械的トランスミッション（つまり「ＡＭＴ」）制御システムは周知であり、個別のロジック回路および／またはソフトウェア制御マイクロプロセッサに基づく電子制御システムを少なくとも部分的に用いて制御される。車両速度（またはトランスミッション出力シャフト速度）、トランスミッション入力シャフト速度、エンジン速度、車両速度の変化率、エンジン速度の変化率、スロットル位置、スロットル位置の変化率、スロットルの完全下降、制動機構の作動、現在嵌合ギヤ比など、制御システムに伝えられるある種の測定および／または算出パラメータに基づいて、ギヤ選択およびシフト決定が行われる。このような車両のオートマチックトランスミッション制御システムの例は、特許文献１〜１６に開示され、その開示内容はすべて参考としてここに取り入れられている。
【０００４】
同様に、オートマチック車両ブレーキアンチスキッド・アンチロック制動システム（ＡＢＳ）は周知である。概して、車輪のロックアップまたはスキッドが発生すると、現在または直後の車輪ロックアップが検知され、車両ブレーキが再使用される前の車両速度まで車輪の空転が許可される。アンチスキッドまたはアンチロックブレーキシステムの例は、特許文献１７〜２３に記載され、これら特許の開示内容は参考としてここに取り入れられている。やはり参考として取り入れられている特許文献２４は、現在または直後の車輪ロックアップ中に、ＡＢＳシステムが車両ＡＭＴ制御システムと通信して車両エンジンまたは駆動系を車両の車輪から切断する車両ＡＭＴ・ＡＢＳシステムを開示している。車両エンジンを車輪から切断すると、車両速度まで空転する車輪の能力をエンジンおよびクラッチの慣性が妨げる傾向を抑制する。
【０００５】
車両のエンジンまたは駆動系を車両の車輪から切断して空転を許可することはたいていの状況において有益であるが、切断が不都合である状況も存在する。例えば、大型トレーラトラックが急斜面を走行しており、現在または直後の車輪ロックアップが発生する（エンジンブレーキまたは軟らかい路面の結果として発生する）場合、車輪から車両エンジンを切断するのは不都合である。より詳しく述べると、トレーラトラックの車輪がエンジンから切断されると、トラックは直ちにエンジンブレーキの効果を失い、結果的にトラックが前方へ揺れる、および／またはオペレータに車両のコントロールを失わせる状況となる。そのうえ、クラッチの解離は、駆動系をエンジンの慣性と連結することにより得られる動きに対する抵抗を取り除く。このエンジン慣性は、駆動系に接続されている時よりもゆっくりと車両を加速させる。同様に、この状況により、オペレータはコントロールを失うか、その発生時に少なくとも不快感を持つ。言及したエンジンは、比較的一般的な車両の原動機の例であり、車両の駆動系または車両の他の動力消費部品へ動力を提供するいかなる動力装置をも包含する語である。原動機のいくつかの例は、ディーゼルエンジン、電動モータ、ハイブリッド動力システムである。
【０００６】
そのため本発明は、適切なコンディションにおいてのみ車両エンジンを車輪から選択的に切断することが可能な車両ＡＭＴ・ＡＢＳシステムの必要性を認識したものである。
【０００７】
【特許文献１】米国特許第４，３６１，０６０号
【特許文献２】米国特許第４，５５１，８０２号
【特許文献３】米国特許第４，５２７，４４７号
【特許文献４】米国特許第４，４２５，６２０号
【特許文献５】米国特許第４，４６３，４２７号
【特許文献６】米国特許第４，０８１，０６５号
【特許文献７】米国特許第４，０７３，２０３号
【特許文献８】米国特許第４，２５３，３４８号
【特許文献９】米国特許第４，０３８，８８９号
【特許文献１０】米国特許第４，２２６，２９５号
【特許文献１１】米国特許第３，７７６，０４８号
【特許文献１２】米国特許第４，２０８，９２９号
【特許文献１３】米国特許第４，０３９，０６１号
【特許文献１４】米国特許第３，９７４，７２０号
【特許文献１５】米国特許第３，４７８，８５１号
【特許文献１６】米国特許第３，９４２，３９３号
【特許文献１７】米国特許第３，７６７，２７０号
【特許文献１８】米国特許第３，７６８，８７２号
【特許文献１９】米国特許第３，８５４，５５６号
【特許文献２０】米国特許第３，９２０，２８４号
【特許文献２１】米国特許第３，９２９，３８２号
【特許文献２２】米国特許第３，９９６，２６７号
【特許文献２３】米国特許第３，９９５，９１２号
【特許文献２４】米国特許第４，８９９，２７９号
【発明の開示】
【課題を解決するための手段】
【０００８】
ここに開示される発明によれば、オートマチック機械式トランスミッションシステム（ＡＭＴ）とアンチロック制動システム（ＡＢＳ）のための制御システム、好ましくは電子制御システムと制御方法とを設けることにより、先行技術の欠点が最小となり、かかる方法では、車輪速度、車両の傾斜／下方傾斜の角度、ブレーキの動作、エンジン速度、トランスミッション入力シャフト速度と、トランスミッション出力シャフト速度とを示す入力信号を含むがこれらには限定されない測定および／または算出パラメータに基づいて、車両の車輪からの車両エンジンの連結／切断が実行される。スロットルまたはブレーキの位置、スロットル位置またはブレーキ位置の変化率、マスタクラッチのコンディション、現在嵌合ギヤ比、車両質量、車軸構成（２×４，２×６など）、エンジンブレーキ力などを示す信号など他の入力／パラメータも、ＡＭＴおよび／またはＡＢＳシステムの制御についての決定を行うのに用いられる。かかる方法は、車輪ロックアップコンディション、車輪ロックアップ時の車両ステータス（車両質量、傾斜／下方傾斜など）などの検知と、これを受けたＡＭＴまたはＡＢＳの制御を行う。
【０００９】
車両アンチロックブレーキシステムなどからの車輪ロックアップを示す信号を受信するための入力手段と、この入力信号を処理して車両の車輪ロックアップコンディションおよび運転ステータス（車両質量、傾斜／下方傾斜など）の有無を判断するロジックとを備える電子制御ユニットを設けることにより、上記は達成される。例えば急斜面または平坦路面における車輪ロックアップおよび車両ステータスを検知すると、制御方法は、車両クラッチまたは他の選択的解離可能な駆動系連結器を嵌合状態のままにして不要な前方への揺れを防止するか、車輪が車両速度まで空転するように解離させる。凍結した、または軟らかい路面条件の結果として発生する場合など、車輪ロックアップが車両エンジンブレーキの結果であると検知すると、制御方法はＡＢＳに車両エンジンブレーキを制御または修正させる。この方法はさらに、車輪ロックアップの終了の検知も含む。
【００１０】
少なくとも一つの実施例において、本発明は、オートマチックマニュアルトランスミッションを含む商用トラックなどの大型車両におけるアンチロック制動システムのアンチロック作用を抑制するための方法という形を取る。この方法は、アンチロック制動システムからアンチロック作用を開始するのに充分な車輪スリップ事象を検知することを含む。当該技術に熟練した者は、このような事象の例は滑りやすい舗装での車輪スキッドまたは軟らかい砂地でのスリップを含み、これらはともにＡＢＳシステムが通常検出する事象であることを理解するだろう。次に、所定の下方傾斜値を超える下方傾斜を持つ坂道を大型車両が下っているかどうかが判断される。坂道が十分に急であると判断された場合には、アンチロックブレーキ作用の開始が抑制される。つまり、通常のＡＢＳプロトコルに反してスリップ車輪に制動作用が加えられ続けるのである。この手順を取ることの重要な動機は、大型車両が下り坂を走行中にドライバに知らせることなく制動力が突然除去された場合に、ドライバにとって異常な感じを与えていらいらさせる作用をもたらす可能性があるということである。
【００１１】
それ以上であればＡＢＳ手順が中止される閾値または所定の下方傾斜値が、比較的急な道路勾配を包含する約５乃至８パーセントの範囲に含まれると好都合である。
【００１２】
これらの段階を補うものとして、十分に急な坂道を車両が下っていると判断されない時に、必須条件である車輪スリップが検出されるとＡＢＳ予防措置の開始および実行が許可されることも考えられる。大型車両が概ね水平または平坦な地面を走行している場合には特に、これが当てはまる。
【００１３】
したがって本発明は、車輪ロックアップコンディションにおいて車両ＡＭＴ・ＡＢＳシステムを制御して車両エンジンを車輪から選択的に解離させるための装置と方法を提供する。
【発明を実施するための最良の形態】
【００１４】
図１は、周知のディーゼルエンジンなどの原動機またはエンジン１２によりマスタクラッチ１４を通して駆動されるオートマチック多変速ギヤトランスミッション１１を含む車両オートマチック機械式トランスミッションシステム１０を概略的に示す。オートマチックトランスミッション１１の出力は、車両駆動車軸２０の差動ヘッドアセンブリ１８などの適切な車両部品への駆動接続に適した出力シャフト１６である。上述した動力系部品は、各々についてさらに詳しく後述するいくつかの装置による作用を受け、これにより監視される。これらの装置は、オペレータ制御によるアクセルペダル２４の位置を検知するアクセルペダル位置監視アセンブリ２２と、エンジン１２へ供給される燃料の量を制御するための燃料制御装置２６と、エンジンの回転速度を検知するエンジン速度センサ２８と、マスタクラッチ１４を嵌合および解離させるとともにクラッチのステータスについての情報も提供するクラッチオペレータ（不図示）と、トランスミッション入力シャフト速度センサ（不図示）と、トランスミッション１１を選択されたギヤ比にシフトするように作用するとともに現在嵌合ギヤ比を示す信号を提供するトランスミッションオペレータ（不図示）と、トランスミッション出力シャフト速度センサ３６とを含む。あるいは、現在嵌合比は、トランスミッション入力シャフトと出力シャフトとの速度の比較により判断されてもよい。
【００１５】
さらに、アクセル位置監視アセンブリはエンジン制御モジュール７０と通信し、このモジュールは、中央処理ユニット５６に加えて燃料制御装置２６およびエンジン速度センサ２８と連通する。トランスミッション制御ユニット（ＴＣＵ）７２は、トランスミッション１１およびトランスミッションオペレータに加えて、トランスミッション出力速度センサ３６などトランスミッションを監視する他のセンサと通信することができる。三つの独立したユニットとして図示されているが、中央処理ユニット５６とＴＣＵ７２とエンジン制御装置７０とが単一のユニットに組み合わされてもよい。あるいは、これら個々のユニットがいくつかの制御ユニットを含んでもよい。例えば、ＴＣＵ７２は、ギヤ選択用に一つとギヤシフト用に一つの、二つの制御ユニットを有することが可能である。ギヤシフトは、トランスミッション１１の機械要素の実際の嵌合を意味する。例えば、ギヤシフトは、所与の要求または指示を受けて、トランスミッション１１の機械部品を実際に正しい順序で動かして、ギヤを嵌合または解離させるか他の方法でトランスミッション１１を操作するプロセスである。ギヤ選択は所望のギヤを選択するか、現在ギヤ状態を維持する決定を行うプロセスである。さらに、嵌合すべき正しいギヤを判断するためギヤ選択では様々なパラメータを検討できる。オートマチックトランスミッション１１では、どのギヤが嵌合すべきかを判断するのに用いられるギヤ選択戦略を持ち、要求されたシフトをトランスミッション１１で実際に行うギヤシフト戦略を実行することによりトランスミッション制御が実行される。
【００１６】
車両ブレーキペダル４０の作動を検知するために車両ブレーキモニタ３８が設けられてもよい。車両質量、車両の傾斜／下方傾斜の角度、エンジン制動力、車両構成（２×２，２×４，２×６など）を含むがこれらに限定されない車両運転状態を検知してこれを通信するための車両運転センサ３３，３５，３７，３９が車両に設けられてもよい。ここで車両構成とは、車両の車輪の総数と比較した従動輪の数を指す。２×６構成である状況では、他の車輪対と比較して一対の車輪が浮いている。これらの浮いた車輪は完全に上昇しているのでなく、残りの車輪と比較して少ない量の力で路面と接触状態にあればよい。ゆえに、路面との接触力の小さい対はロックアップする可能性が比較的高い。実施例では、ＡＢＳシステム４２は、どの車輪がロックされているかを通信し、この情報に基づいてクラッチを解離すべきかどうかの判断が行われる。ロックアップした車輪が車両の駆動輪でない場合には、クラッチは嵌合したままとすることが好ましい。この情報は、クラッチが解離されるべき時についての判断のための、後述する他の情報とは独立して、またはこの情報に加えて用いられる。
【００１７】
車両はまた、概ね参照番号４２で示された周知の設計の車両アンチロックシステムを備えてもよい。簡潔に述べると、アンチロックシステムは、現在または直後の車輪ロックアップ条件の存在についての判断のためのセンサ４６，４８などの様々な車輪速度センサからの入力信号を受信し、ブレーキオペレータ５０，５２へ出力コマンドを発して車両の停止および制御を最適化する中央アンチロックロジックユニット４４を含む。車両がアンチロックシステム４２を備えている場合には、システムはスキッドまたはロックアップセンサ５４によりＡＭＴシステム１０へ入力信号を提供する。
【００１８】
上述したＡＭＴシステムは、中央処理ユニットまたは制御装置５６へ情報を提供するかこれから命令を受け取る。中央処理ユニット５６はアナログおよび／またはデジタル電子ロジックハードウェアを含むか、好ましくはマイクロプロセッサをベースとし、ソフトウェアモードでロジックを利用する。中央処理ユニット５６はまた、車両オペレータが車両のバック（Ｒ）、ニュートラル（Ｎ）、オートマチック（Ａ）、マニュアル（Ｍ）運転モードを選択することによるシフト制御アセンブリ５８からの情報を受け取る。
【００１９】
電力源（不図示）および／または加圧流体源（不図示）は、様々な検知、動作、および／または処理ユニットに電気および／または空気力を提供する。別の実施例では、エンジンとトランスミッションのために独立した制御装置が設けられている。これら二つの独立した制御装置は、制御装置が関連情報を相互に共有できるように相互に連結されていることが好ましい。上記の説明は、制御装置に考えられる構成の例として挙げられたもので、ここに開示される発明の範囲内で他の制御構成が考えられる。そのため、上記のタイプの駆動系部品および制御装置は先行技術で周知であり、上述した特許文献１、特許文献６、特許文献９、特許文献１０、特許文献１１、特許文献１５を参照するとより詳細に理解できるだろう。
【００２０】
センサ２２，２８，３３，３５，３８，３９，５４は、これにより監視されるパラメータに比例したアナログまたはデジタル信号を発生させるための周知のタイプまたは構造のものでよい。同様に、オペレータ２６，３７，５０，５２は、処理ユニット４４，５６，７０，７２からのコマンド信号を受けて動作を実行する周知の電気、空気、電空タイプのものでよい。
【００２１】
中央処理ユニット５６の主な目的は、プログラム（つまり所定のロジック規則）と現在のまたは記憶されたパラメータとにしたがって、車輪ロックアップコンディションにおいてエンジンが車輪と嵌合状態にあるべきか、車輪ロックアップコンディションにおいて解離されるべきかを選択し、必要に応じて、現在の、および／または記憶された情報に基づいてこのような嵌合／解離を命令することである。
【００２２】
車輪ロックアップまたはスキッドコンディションの事象においては、トランスミッション出力シャフトの回転速度を示すセンサ３６からの入力信号が車両の速度の真の表示でなく、ゆえにシステムがトランスミッション１１の不要なシフトダウンを行おうとするようなコンディションを検出する方法を、ＡＭＴシステム制御ロジックが備えることが重要である。さらに、センサ３３，３５，３７，３９から入手された車両の特定運転状態に応じて、エンジン１２およびクラッチ１４が制動されている車両駆動輪６０に接続されたままであるか、これから切断されることが望ましい。
【００２３】
ＡＭＴ中央処理ユニット５６による現在または直後の車輪ロックアップコンディションの検知は比較的単純であって、車両アンチロックシステム４２から信号を受信することを包含することが好ましい。スキッドまたは車輪ロックアップコンディションが存在すると検出した後、できる限り安全な方法で検出された条件にシステム１０が対応する必要がある。まだ行われていない場合には、スキッドコンディションの検出を受けてＡＭＴシステム１０を制御する動作ロジックまたは方法は、車両の運転状態を最初に判断することである。つまり、車両が急勾配を下っているか比較的平坦な道路を通過しているかどうかを判断し、車両が運搬している積荷が重いか軽いかを判断し、有効なエンジンブレーキ力が存在するかどうかを判断し、車両の構成（車両が２×４、２×６などとして運転されているかどうか）を判断することなどである。次に、車両の運転状態に基づき、実際の状況に応じてクラッチ１４が嵌合したままとなる（例えば急降下の場合）か、解離される。クラッチを嵌合位置に維持すると、概して車両は車両エンジンブレーキおよび／またはエンジン慣性の利用の効果を受け続け、クラッチが解離を許可された場合に発生する揺れを防止する。あるいは、平坦面を通過している場合には、クラッチの解除により、エンジントルクに抵抗したり、トランスミッションシステム１０がスキッド中にシフトダウンするのを心配することなく、車両オペレータはスキッドの発生を克服できる。クラッチ１４を解除すると、エンジン１２の慣性およびクラッチ１４の入力プレートに妨げられていた車両速度までの制動車輪６０の空転を許可するので、これは重要である。あるいは、（凍結または濡れた道路で発生するように）車両エンジンブレーキの結果として車輪ロックアップが発生したとＣＰＵが判断した場合、さらなる車輪ロックアップを防止するように、エンジンブレーキ制御装置３７がアサートされて、エンジン制動システムを防止および調節する。
【００２４】
ＡＭＴシステム１０は、マイクロプロセッサをベースとする中央処理ユニット５６を利用するものと記載し、方法および動作はソフトウェアモードまたはアルゴリズムとして実行されるが、個別のハードウェア部品を包含する電子／流体ロジック回路で動作が実行されてもよい。
【００２５】
車輪ロックアップコンディションの場合に車両駆動系を車両の車輪から選択的に切断するための方法が、概ね図２に図示されている。この方法では、車輪ロックアップコンディションが存在するかどうかを判断し（ブロック１０５）、車輪ロックアップが検出されない場合には現在ステータスを維持する（ブロック１１５）か、車輪ロックアップが存在する場合には運転状態を判断する（ブロック１１０）。図から分かるように、車両の車輪ロックアップコンディションが存在する（ブロック１０５）場合には、中央処理ユニットは、車両の運転状態、つまり、車両が急斜面を下っているかどうか、車両が重い積荷を運搬しているかどうか、車両がエンジン制動力を持っているかどうか、または車両の構成を判断する（ブロック１１０）。センサにより提供されるデータに基づいて、ＣＰＵは、駆動系を車輪から解離させる（ブロック１２０）か、駆動系と車輪との嵌合を維持する（ブロック１２５）ように制御装置に指示する。駆動系が解離した場合には、車輪ロックアップコンディションが中断してクラッチが再嵌合する時まで解離位置が維持される（ブロック１３０）。あるいは、駆動系が嵌合したままであることがコンディションから保証されると中央処理ユニットが判断する場合には、車輪ロックアップコンディションの原因（例えばエンジンブレーキまたは滑りやすい路面）を判断する手順が実施される。車輪ロックアップの原因がエンジンブレーキの結果であると判断された場合には、ＣＰＵはエンジン制動の量を修正するように制御装置に指示する。車輪ロックアップコンディションが中断すると、通常運転が再開する（ブロック１３０）。
【００２６】
クラッチを解離させるか嵌合したままにしておくかを判断する際には、様々な運転コンディションの組合せが決定的であるか、単一の主要な運転コンディションが決定要因となる。少なくとも一つの実施例では、決定要因として下方傾斜の角度が用いられる。下方傾斜の角度が第１所定値より小さい場合には、クラッチおよび駆動系は嵌合したままである。それでも車両が第１所定値よりも大きな下り坂にある時には、クラッチは解離しない。しかし、好適な実施例では、いつクラッチが解離するかを判断するのにエンジン速度とともに下方傾斜角度が用いられる。エンジン速度が所定値を上回り、下方傾斜角度が第１所定値より大きいと、クラッチは嵌合したままとなる。エンジンが第１所定速度を下回ると、クラッチが解離する。この時点でクラッチを解離する主な理由は、エンジンの減速を防止することである。下方傾斜の角度が、第１所定値より大きな第２既定値を上回る際には、エンジン速度が第２所定速度を下回るまでクラッチは嵌合したままである。だが、下方傾斜の角度が第３所定値を上回る場合には、クラッチは嵌合したままである。ロジックの例を以下に示す。５パーセント勾配より小さい下方傾斜角度を持つ道路に車両がある場合には、車輪ロックアップコンディションが検出されるとクラッチは解離する。勾配が５パーセントを超えると、さらにエンジン速度に基づいて判断が行われる。エンジン速度が１８００ｒｐｍなどの値を上回ったままである場合には、クラッチは嵌合したままである。エンジン速度が１６００ｒｐｍの第２所定値よりも下まで低下すると、クラッチは解離する。下方傾斜の角度が第３所定傾斜、例えば８パーセント勾配を上回る際には、クラッチは嵌合したままである。
【００２７】
本説明によれば、本発明は、車輪ロックアップ状況の場合に車両の駆動系と車輪とを選択的に解離させるための装置と方法を提供する。例示的で好適な実施例と思われるものにおいて本発明を図示および説明したが、発明の趣旨および範囲から逸脱することなく変更および修正を発明に加えられることは、当該技術の熟練者であれば納得できるはずである。そのため、本発明はここに開示された特定実施例に限定されるのでなく、特許請求項の範囲および幅により限定されることを理解すべきである。
【図面の簡単な説明】
【００２８】
【図１】本発明のオートマチック機械式トランスミッション制御システムおよびアンチロック制動システムの部品の概略図である。
【図２】本発明によるセンサと論理制御ユニットとの間の通信を示す流れ図である。
【符号の説明】
【００２９】
１０  オートマチックマニュアルトランスミッション
１２  エンジン
３３、３５、３７、３９  第１センサ
４２  アンチロック制動システム
５４  第２センサ
５６、７０、７２  ロジック制御システム
６０  車輪
【図１】
2009508064.tif 000003
【図２】
2009508064.tif 000004
【手続補正書】
【提出日】平成19年5月15日(2007.5.15)
【手続補正１】
【補正対象書類名】特許請求の範囲
【補正対象項目名】全文
【補正方法】変更
【補正の内容】
【特許請求の範囲】
【請求項１】
オートマチック機械式トランスミッションシステム（１０）とアンチロック制動システム（４２）とを具備する車両において、
前記車両の少なくとも一つの運転状態を検知する（１１０）ことと、
前記車両の車輪ロックアップコンディションを検知する（１０５）ことと、
前記車両の前記運転状態と前記車輪ロックアップコンディションとをロジック制御ユニットへ通信することとを包含する、前記車両の車輪（６０）から前記駆動系を選択的に切断するための方法であって、
前記車両の第１所定運転状態と車輪ロックアップコンディションとが前記ロジック制御ユニットにより通信された時に前記駆動系を前記車輪（６０）から解離し（１２０）、該車両の第２所定運転状態と車輪ロックアップコンディションとが該ロジック制御ユニットにより通信された時に該車両の該駆動系と該車輪（６０）との嵌合を維持する（１２５）ことを特徴とする方法。
【請求項２】
前記車両の前記第２所定運転状態が該車両の下方傾斜の角度に対応することを特徴とする、請求項１に記載の方法。
【請求項３】
前記下方傾斜の角度が所定角度より大きいことを特徴とする、請求項２に記載の方法。
【請求項４】
前記所定角度が３度であることを特徴とする、請求項３に記載の方法。
【請求項５】
前記所定角度が５度であることを特徴とする、請求項３に記載の方法。
【請求項６】
前記車両の前記第２所定運転状態が該車両の下方傾斜の角度と該車両のエンジン（１２）の速度とに対応することを特徴とする、請求項１に記載の方法。
【請求項７】
前記下方傾斜の角度が所定角度より大きいことを特徴とする、請求項６に記載の方法。
【請求項８】
前記エンジンの前記速度が所定値を上回ることを特徴とする、請求項６に記載の方法。
【請求項９】
前記所定速度値が前記エンジン（１２）の減速速度であることを特徴とする、請求項８に記載の方法。
【請求項１０】
前記車両の前記第１所定運転状態が概ね平坦な地面における運転に対応することを特徴とする、請求項１に記載の方法。
【請求項１１】
前記運転状態が車両質量を用いて判断されることを特徴とする、請求項１に記載の方法。
【請求項１２】
前記運転状態が前記車両の傾斜角度を用いて判断されることを特徴とする、請求項１に記載の方法。
【請求項１３】
前記運転状態がエンジン制動力を用いて判断されることを特徴とする、請求項１に記載の方法。
【請求項１４】
前記運転状態が車両構成を用いて判断されることを特徴とする、請求項１に記載の方法。
【請求項１５】
前記車両構成が、車輪の総数と比較された駆動輪（６０）の数であることを特徴とする、請求項１４に記載の方法。
【請求項１６】
オートマチック機械式トランスミッションシステムとアンチロック制動システムとを具備する車両において、該車両の車輪（６０）から前記駆動系を選択的に切断するための装置であって、
前記車両の少なくとも一つの運転状態を検知するための第１センサ（３３，３５，３７，３９）と、
前記車両の車輪ロックアップコンディションを検知するための第２センサ（５４）と、
ロジック制御ユニット（５６，７０，７２）とを具備し、
前記ロジック制御ユニット（５６，７０，７２）が、前記第１（３３，３５，３７，３９）および第２センサ（５４）から信号を受信し、少なくとも該第１センサ（３３，３５，３７，３９）が前記車両の第１所定運転状態を検知して該第２センサ（５４）が車輪ロックアップコンディションを検知した時に前記車輪（６０）からの前記駆動系の解離を指示するような機能的構成を持ち、該ロジック制御ユニット（５６，７０，７２）が、前記車両の第２所定運転状態と車輪ロックアップコンディションとが検知された時に該駆動系と該車輪（６０）との嵌合を指示するような機能的構成を持つことを特徴とする装置。
【請求項１７】
前記車両の前記第２所定運転状態が該車両の下方傾斜の角度に対応することを特徴とする、請求項１６に記載の装置。
【国際調査報告】
2009508064.tif 000005
2009508064.tif 000006
2009508064.tif 000007
2009508064.tif 000008